(57)【要約】  【課題】  同一グループ内の内線を収容接続する複数のリモート装置の内、ＰＢＸとの回線障害が発生すると、同一グループ内の内線同士の通話接続ができなくなる場合がある。  【解決手段】  ＩＰ網５に接続するサイトＡ側ＰＢＸ１４と、複数の内線を収容接続する第１(第２)リモート装置２２Ａ（２２Ｂ）と、バックアップ用ＰＢＸ２５とを有し、第１(第２)リモート装置は、サイトＡ側ＰＢＸとの回線が正常状態の場合、サイトＡ側ＰＢＸと接続して同サイトＡ側ＰＢＸ側で通話路制御し、回線障害を検出すると、サイトＡ側ＰＢＸからバックアップ用ＰＢＸに切替接続して同バックアップ用ＰＢＸ側で通話路制御するリモート側切替部５４を有し、第２(第１)リモート装置は、第１(第２)リモート装置及びサイトＡ側ＰＢＸ間の回線障害を検出すると、サイトＡ側ＰＢＸからバックアップ用ＰＢＸに切替接続して同バックアップ用ＰＢＸの通話路制御に基づき内線同士を通話接続可能にするようにした。【選択図】  図３
2006319762.tif 000002
【特許請求の範囲】
【請求項１】
通信網に接続する構内交換機と、前記通信網に接続すると共に、複数の内線端末を収容接続する複数のグループ化されたリモート装置と、バックアップ用構内交換機とを有し、前記リモート装置は、前記構内交換機との回線が正常状態の場合、前記構内交換機の通話路と接続して同構内交換機の通話路制御に基づき、前記内線端末同士を通話接続可能にすると共に、前記構内交換機との回線障害を検出すると、前記構内交換機との通話路接続を切断して前記バックアップ用構内交換機の通話路と接続し、同バックアップ用構内交換機の通話路制御に基づき、前記内線端末同士を通話接続可能にする切替制御手段を有する内線電話システムであって、
前記リモート装置は、
同一グループ内の他のリモート装置と前記構内交換機との回線障害を検出すると、前記構内交換機との通話路接続を切断して前記バックアップ用構内交換機の通話路と接続し、同バックアップ用構内交換機の通話路制御に基づき、前記内線端末同士を通話接続可能にすることを特徴とする内線電話システム。
【請求項２】
前記リモート装置は、
前記構内交換機との回線障害を検出すると、同一グループ内の他のリモート装置に対して切替要求信号を出力する要求信号出力手段を有し、
前記切替制御手段は、
同一グループ内の他のリモート装置から前記切替要求信号を検出すると、前記構内交換機との通話路接続を切断して前記バックアップ用構内交換機の通話路と接続し、同バックアップ用構内交換機の通話路制御に基づき、前記内線端末同士を通話接続可能にすることを特徴とする請求項１記載の内線電話システム。
【請求項３】
前記構内交換機は、
前記リモート装置との回線障害を検出すると、同リモート装置と同一グループの他のリモート装置に対して切替要求信号を出力する構内交換機側要求信号出力手段を有し、
前記切替制御手段は、
前記構内交換機から前記切替要求信号を検出すると、前記構内交換機との通話路接続を切断して前記バックアップ用構内交換機の通話路と接続し、同バックアップ用構内交換機の通話路制御に基づき、前記内線端末同士を通話接続可能にすることを特徴とする請求項１又は２記載の内線電話システム。
【請求項４】
前記切替制御手段は、
前記構内交換機からの切戻し要求信号を検出すると、前記バックアップ用構内交換機との通話路接続を切断して前記構内交換機の通話路と接続し、同構内交換機の通話路制御に基づき、前記内線端末同士を通話接続可能にすることを特徴とする請求項１，２又は３記載の内線電話システム。
【請求項５】
前記構内交換機は、
障害復旧後、所定時間経過すると、前記切戻し要求信号を前記リモート装置に出力することを特徴とする請求項４記載の内線電話システム。
【発明の詳細な説明】
【技術分野】
【０００１】
本発明は、例えばＩＰ網等の通信網に接続する構内交換機(以下、単にＰＢＸと称する)と、通信網に接続すると共に、複数の内線端末を収容接続する複数のリモート装置とを備え、異なるリモート装置に収容接続した内線端末を構内交換機側の主制御装置で一元管理する内線電話システムに関する。
【背景技術】
【０００２】
従来、このような内線電話システムとしては、例えば本社から地理的に離れた地域に、複数のリモート装置を遠隔配置し、これら複数のリモート装置に夫々収容接続する電話機を内線電話機として、例えば本社に配置されたＰＢＸの主制御装置側で一元管理すると共に、異なる地域に存在する内線電話機同士の通話接続を可能にしたシステムが広く知られている(例えば特許文献１参照)。
【０００３】
また、本出願人は、このような内線電話システムにおいてサイト毎にリモート装置を配置すると共に、同サイト毎にバックアップ用ＰＢＸを配置し、リモート装置は、ＰＢＸとの回線状態が正常の場合、ＰＢＸの通話路と接続して同ＰＢＸの通話路制御、つまりＰＢＸ側の主制御装置の下、内線電話機同士を通話接続可能にすると共に、ＰＢＸとの回線障害を検出すると、ＰＢＸとの通話路接続を切断してバックアップ用ＰＢＸの通話路と接続し、同バックアップ用ＰＢＸの通話路制御、つまりバックアップ用ＰＢＸ側の主制御装置の下、内線電話機同士を通話接続可能にしたシステムを提案している（例えば特許文献２参照）。
【０００４】
このような特許文献２の内線電話システムによれば、リモート装置側にてＰＢＸとの回線障害を検出すると、ＰＢＸとの通話路接続を切断してバックアップ用ＰＢＸの通話路と接続し、同バックアップ用ＰＢＸ側の主制御装置の下、内線電話機同士を通話接続可能にしたので、リモート装置及びＰＢＸ間の回線障害が発生したとしても、バックアップ用ＰＢＸ側の主制御装置の下、リモート装置に収容接続する内線電話機の運用が可能となる。
【特許文献１】特開２００３−２５８８７３号公報（要約書及び図1参照）
【特許文献２】特願２００４−２４９０４８号公報（段落番号「００３７」〜「００５８」及び図７乃至図１０参照）
【発明の開示】
【発明が解決しようとする課題】
【０００５】
特許文献２の内線電話システムによれば、サイト毎に１台のリモート装置を配置し、同リモート装置及びＰＢＸ間の回線障害が発生したとしても、バックアップ用ＰＢＸ側の主制御装置の下で同リモート装置に収容接続する内線電話機の通話接続を可能にしているが、同リモート装置に収容接続する内線電話機の数には限りがあることから、リモート装置を増設して収容接続する内線電話機を増やす場合も想定され、この場合、同一グループの内線電話機であっても同内線電話機を収容接続するリモート装置が異なることになる。
【０００６】
しかしながら、同一グループの内線電話機を複数台のリモート装置で収容接続した場合、複数台のリモート装置の内、一台のリモート装置側でＰＢＸとの回線障害を検出して同リモート装置がバックアップ用ＰＢＸ側の主制御装置の下に切り替わったとしても、同一グループ内の他のリモート装置側ではＰＢＸ側の主制御装置の制御下で動作しているために、リモート装置毎に通信ネットワークが異なってしまい、その結果、同一グループ内の内線電話機であるにもかかわらず、同一グループ内の内線電話機同士の通話接続できなくなることも考えられる。
【０００７】
本発明は上記点に鑑みてなされたものであり、その目的とするところは、同一グループ内の内線電話機(内線端末)を収容接続する複数のリモート装置の内、少なくとも一台がＰＢＸとの回線障害が発生したとしても、同一グループ内の内線端末同士の通話接続を可能にする内線電話システムを提供することにある。
【課題を解決するための手段】
【０００８】
上記目的を達成するために本発明の内線電話システムは、通信網に接続する構内交換機と、前記通信網に接続すると共に、複数の内線端末を収容接続する複数のグループ化されたリモート装置と、バックアップ用構内交換機とを有し、前記リモート装置は、前記構内交換機との回線が正常状態の場合、前記構内交換機の通話路と接続して同構内交換機の通話路制御に基づき、前記内線端末同士を通話接続可能にすると共に、前記構内交換機との回線障害を検出すると、前記構内交換機との通話路接続を切断して前記バックアップ用構内交換機の通話路と接続し、同バックアップ用構内交換機の通話路制御に基づき、前記内線端末同士を通話接続可能にする切替制御手段を有する内線電話システムであって、前記リモート装置は、同一グループ内の他のリモート装置と前記構内交換機との回線障害を検出すると、前記構内交換機との通話路接続を切断して前記バックアップ用構内交換機の通話路と接続し、同バックアップ用構内交換機の通話路制御に基づき、前記内線端末同士を通話接続可能にするようにした。
【０００９】
本発明の内線電話システムは、前記リモート装置が、前記構内交換機との回線障害を検出すると、同一グループ内の他のリモート装置に対して切替要求信号を出力する要求信号出力手段を有し、前記切替制御手段は、同一グループ内の他のリモート装置から前記切替要求信号を検出すると、前記構内交換機との通話路接続を切断して前記バックアップ用構内交換機の通話路と接続し、同バックアップ用構内交換機の通話路制御に基づき、前記内線端末同士を通話接続可能にするようにした。
【００１０】
本発明の内線電話システムは、前記構内交換機が、前記リモート装置との回線障害を検出すると、同リモート装置と同一グループの他のリモート装置に対して切替要求信号を出力する構内交換機側要求信号出力手段を有し、前記切替制御手段は、前記構内交換機から前記切替要求信号を検出すると、前記構内交換機との通話路接続を切断して前記バックアップ用構内交換機の通話路と接続し、同バックアップ用構内交換機の通話路制御に基づき、前記内線端末同士を通話接続可能にするようにした。
【００１１】
本発明の内線電話システムは、前記切替制御手段が、前記構内交換機からの切戻し要求信号を検出すると、前記バックアップ用構内交換機との通話路接続を切断して前記構内交換機の通話路と接続し、同構内交換機の通話路制御に基づき、前記内線端末同士を通話接続可能にするようにした。
【００１２】
本発明の内線電話システムは、前記構内交換機が、障害復旧後、所定時間経過すると、前記切戻し要求信号を前記リモート装置に出力するようにした。
【発明の効果】
【００１３】
上記のように構成された本発明の内線電話システムによれば、前記リモート装置にて、同一グループ内の他のリモート装置と前記構内交換機との回線障害を検出すると、前記構内交換機との通話路接続を切断して前記バックアップ用構内交換機の通話路と接続し、同バックアップ用構内交換機の通話路制御に基づき、前記内線端末同士を通話接続可能にするようにした、すなわち、同一グループ内のリモート装置の内、一台でも構内交換機との回線障害を検出すると、同一グループ内の全リモート装置をバックアップ用構内交換機の通話路と接続して、同バックアップ用構内交換機を使用した同一の通信ネットワークで同一グループ内の内線端末同士を通話接続可能にしたので、同一グループ内の内線端末を収容接続する複数のリモート装置の内、少なくとも一台が構内交換機との回線障害が発生したとしても、同一グループ内の全リモート装置を、バックアップ用構内交換機を使用した同一の通信ネットワークで構成することができるため、同一グループ内の内線端末同士の通話接続が可能となる。
【００１４】
本発明の内線電話システムによれば、前記リモート装置側にて構内交換機との回線障害を検出すると、同リモート装置と同一グループの他のリモート装置に対して切替要求信号を出力すると共に、他のリモート装置にて前記切替要求信号を検出すると、前記構内交換機との通話路接続を切断して前記バックアップ用構内交換機の通話路と接続し、同バックアップ用構内交換機の通話路制御に基づき、前記内線端末同士を通話接続可能にするようにしたので、同一グループ内の内線端末を収容接続する複数のリモート装置の内、少なくとも一台が構内交換機との回線障害が発生したとしても、前記リモート装置からの切替要求信号に基づき、同一グループ内の全リモート装置を、同バックアップ用構内交換機を使用した同一の通信ネットワークで構成することができる。
【００１５】
本発明の内線電話システムによれば、前記構内交換機側にて前記リモート装置との回線障害を検出すると、同リモート装置と同一グループの他のリモート装置に対して切替要求信号を出力すると共に、他のリモート装置にて前記構内交換機から前記切替要求信号を検出すると、前記構内交換機との通話路接続を切断して前記バックアップ用構内交換機の通話路と接続し、同バックアップ用構内交換機の通話路制御に基づき、前記内線端末同士を通話接続可能にするようにしたので、同一グループ内の内線端末を収容接続する複数のリモート装置の内、少なくとも一台が構内交換機との回線障害が発生したとしても、前記構内交換機からの切替要求信号に基づき、同一グループ内の全リモート装置を、バックアップ用構内交換機を使用した同一の通信ネットワークで構成することができる。
【００１６】
本発明の内線電話システムによれば、前記リモート装置側にて前記構内交換機からの切戻し要求信号を検出すると、前記バックアップ用構内交換機との通話路接続を切断して前記構内交換機の通話路と接続し、同構内交換機の通話路制御に基づき、前記内線端末同士を通話接続可能にするようにしたので、同一グループ内の全リモート装置は、構内交換機からの切戻し要求信号を検出すると、回線障害前の通信ネットワークに戻し、その結果、構内交換機を使用した同一通信ネットワークで同一グループ内の内線端末同士の通話接続が可能になる。
【００１７】
本発明の内線電話システムによれば、例えば障害復旧直後は揺らぎが発生して回線状態が不安定になることに着目し、前記構内交換機にて障害復旧後、所定時間経過した時点で、前記切戻し要求信号をリモート装置に出力するようにしたので、同一グループ内の全リモート装置を安定した状態で回線障害前の通信ネットワークに戻すことができる。
【発明を実施するための最良の形態】
【００１８】
以下、図面に基づいて本発明の実施の形態を示す内線電話システムについて説明する。図１は本実施の形態を示す内線電話システム内部の概略構成を示すブロック図である。
【００１９】
図１に示す内線電話システム１は、サイトＡに配置されたサイトＡ側交換システム２と、例えばサイトＡから遠隔地のサイトＢに配置されたサイトＢ側交換システム３と、サイトＣに配置されたサイトＣ側交換システム４と、これらサイトＡ側交換システム２、サイトＢ側交換システム３及びサイトＣ側交換システム４を通信接続するＩＰ網５とを有している。
【００２０】
サイトＡ側交換システム２は、複数のサイトＡ側電話機１１及びサイトＡ側無線基地局１２と、ＩＰ網５との通信インタフェースを司るサイトＡ側ＨＵＢ１３と、これら複数のサイトＡ側電話機１１及びサイトＡ側無線基地局１２を収容接続すると共に、サイトＡ側ＨＵＢ１３と接続するサイトＡ側ＰＢＸ１４とを有している。
【００２１】
また、サイトＢ側交換システム３は、ＩＰ網５との通信インタフェースを司るサイトＢ側ＨＵＢ２１と、このサイトＢ側ＨＵＢ２１と接続する第１リモート装置２２Ａ及び第２リモート装置２２Ｂと、第１リモート装置２２Ａ側で管理する複数のサイトＢ側第１電話機２３Ａ及びサイトＢ側第１無線基地局２４Ａと、第２リモート装置２２Ｂ側で管理する複数のサイトＢ側第２電話機２３Ｂ及びサイトＢ側第２無線基地局２４Ｂと、バックアップ用ＰＢＸ２５とを有している。
【００２２】
尚、第１リモート装置２２Ａ側に管理されたサイトＢ側第１電話機２３Ａ及びサイトＢ側第１無線基地局２４Ａと、第２リモート装置２２Ｂ側に管理されたサイトＢ側第２電話機２３Ｂ及びサイトＢ側第２無線基地局２４Ｂとは同一グループとして同一グループ番号が付与されているものとする。
【００２３】
また、サイトＣ側交換システム４は、図示せぬが、サイトＣ側ＨＵＢ、第１リモート装置、第２リモート装置、サイトＣ側第１電話機、サイトＣ側第１無線基地局、サイトＣ側第２電話機、サイトＣ側第２無線基地局及びバックアップ用ＰＢＸで構成しているものとする。
【００２４】
図２はサイトＡ側ＰＢＸ１４内部の概略構成を示すブロック図である。
【００２５】
図２に示すサイトＡ側ＰＢＸ１４は、サイトＡ側電話機１１との通信インタフェースを司る内線電話機ＩＦ部３１と、サイトＡ側無線基地局１２との通信インタフェースを司る無線基地局ＩＦ部３２と、これら内線電話機ＩＦ部３１及び無線基地局ＩＦ部３２の通信制御インタフェースを司る内線ＩＦ制御部３３と、サイトＡ側ＨＵＢ１３との通信インタフェースを司るＩＰ網ＩＦ部３４と、このＩＰ網ＩＦ部３４の通信制御インタフェースを司るＩＰ網ＩＦ制御部３５と、内線ＩＦ制御部３３及びＩＰ網ＩＦ制御部３５間の通話路を形成する通話路スイッチ部（以下、単にＳＷ部と称する）３６と、ＩＰ網ＩＦ部３４を通じてサイトＢ側交換システム３（サイトＣ側交換システム４）内の第１リモート装置２２Ａ又は第２リモート装置２２Ｂに対する回線障害を監視する障害監視部３７と、後述する復旧開始時刻等の時計情報を管理する時計情報保持部３８と、このサイトＡ側ＰＢＸ１４全体を制御する主制御装置３９とを有している。
【００２６】
ＩＰ網ＩＦ部３４には、同内線電話システム１に接続された各電話機及び無線基地局、例えばサイトＡ側電話機１１及びサイトＡ側無線基地局１２、サイトＢ側第１電話機２３Ａ及びサイトＢ側第２電話機２３Ｂ、サイトＢ側第１無線基地局２４Ａ及びサイトＢ側第２無線基地局２４Ｂ等を夫々識別する識別情報と、サイトＡ側ＰＢＸ１４に収容接続するサイトＡ側電話機１１及びサイトＡ側無線基地局１２のＩＰアドレスや、同電話機及び無線基地局を管理する第１リモート装置２２Ａ及び第２リモート装置２２ＢのＩＰアドレスとを対応付けて記憶管理する変換テーブル３４Ａを備えている。
【００２７】
ＩＰ網ＩＦ部３４は、サイトＡ側ＨＵＢ１３を通じてＩＰ網５から自装置宛のＩＰパケットを受信すると、このＩＰパケットから識別情報が付加された信号を抽出してＩＰ網ＩＦ制御部３５に出力すると共に、ＳＷ部３６経由でＩＰ網ＩＦ制御部３５から入力した識別情報を付加した信号を受信すると、同信号をＩＰパケット化し、この識別情報に対応したＩＰアドレスを変換テーブル３４Ａから読み出し、このＩＰアドレスを宛先として同ＩＰパケットをＩＰ網５に出力するものである。
【００２８】
また、障害監視部３７は、各交換システムの第１リモート装置２２Ａ及び第２リモート装置２２Ｂに対してライフチェック用のＩＰパケットを所定周期毎にＩＰ網５経由で伝送すると共に、このライフチェック用のＩＰパケットに対する応答用のＩＰパケットを第１リモート装置２２Ａ又は第２リモート装置２２Ｂから受信したか否かの判定結果に基づき、サイトＡ側ＰＢＸ１４及び第１リモート装置２２Ａ間の回線状態、又はサイトＡ側ＰＢＸ１４及び第２リモート装置２２Ｂ間の回線状態を判別するものである。すなわち、障害監視部３７は、第１リモート装置２２Ａ（第２リモート装置２２Ｂ）からの応答用ＩＰパケットを受信した場合、サイトＡ側ＰＢＸ１４及び第１リモート装置２２Ａ(第２リモート装置２２Ｂ)間の回線状態が正常であると判断するものである。
【００２９】
尚、障害監視部３７は、ライフチェック用のＩＰパケットに対する応答用のＩＰパケットを受信できない場合、最高２回までのリトライ動作としてライフチェック用のＩＰパケットを出力するものである。従って、障害監視部３７は、第１リモート装置２２Ａ(第２リモート装置２２Ｂ)から第２回目のリトライ動作に対する応答用ＩＰパケットを受信できなかった場合、サイトＡ側ＰＢＸ１４及び第１リモート装置２２Ａ(第２リモート装置２２Ｂ)間の回線状態が障害であると判断するものである。
【００３０】
さらに障害監視部３７は、サイトＡ側ＰＢＸ１４及び第１リモート装置２２Ａ間の回線障害を検出すると、ＩＰ網５経由で同一グループの第２リモート装置２２Ｂに対して切替要求信号用のＩＰパケットを出力すると共に、サイトＡ側ＰＢＸ１４及び第２リモート装置２２Ｂ間の回線障害を検出すると、ＩＰ網５経由で同一グループの第１リモート装置２２Ａに対して切替要求信号用のＩＰパケットを出力するものである。
【００３１】
また、ＩＰ網ＩＦ部３４は、時計機能を有し、時計情報保持部３８に記憶中の回線障害復旧後の復旧開始時刻に到達すると、ＩＰ網５経由で第１リモート装置２２Ａ及び第２リモート装置２２Ｂに対して切戻し要求信号のＩＰパケットを出力するものである。尚、時計情報保持部３８に記憶中の復旧開始時刻はユーザ入力によるものである。
【００３２】
図３はサイトＢ側交換システム３内部の第１リモート装置２２Ａ(第２リモート装置２２Ｂ)及びバックアップ用ＰＢＸ２５内部の概略構成を示すブロック図である。
【００３３】
図３に示すバックアップ用ＰＢＸ２５は、サイトＢ側第１電話機２３Ａの通信インタフェースを司るサイトＢ側第１内線電話機ＩＦ部４１Ａと、サイトＢ側第１無線基地局２４Ａの通信インタフェースを司るサイトＢ側第１無線基地局ＩＦ部４２Ａと、サイトＢ側第１内線電話機ＩＦ部２３Ａ及びサイトＢ側第１無線基地局ＩＦ部２４Ａの通信制御インタフェースを司るサイトＢ側第１内線ＩＦ制御部４３Ａと、サイトＢ側第２電話機２３Ｂの通信インタフェースを司るサイトＢ側第２内線電話機ＩＦ部４１Ｂと、サイトＢ側第２無線基地局２４Ｂの通信インタフェースを司るサイトＢ側第２無線基地局ＩＦ部４２Ｂと、これらサイトＢ側第２内線電話機ＩＦ部４１Ｂ及びサイトＢ側第２無線基地局ＩＦ部４２Ｂの通信制御インタフェースを司るサイトＢ側第２内線ＩＦ制御部４３Ｂと、サイトＡ側ＰＢＸ１４及び第１リモート装置２２Ａ（又は第２リモート装置２２Ｂ）間の回線障害時にサイトＢ側第１内線ＩＦ制御部４３ＡやサイトＢ側第２内線ＩＦ制御部４３Ｂとの通話路を形成するバックアップ用通話路スイッチ部（以下、単にバックアップ用ＳＷ部と称する）４４と、このバックアップ用ＰＢＸ２５全体を制御するバックアップ用主制御装置４５とを有している。
【００３４】
また、図３に示す第１リモート装置２２Ａは、サイトＢ側ＨＵＢ２１との通信インタフェースを司るリモート側ＩＰ網ＩＦ部５１と、リモート側ＩＰ網ＩＦ部５１との通信制御インタフェースを司るリモート側ＩＦ制御部５２と、サイトＡ側ＰＢＸ１４との回線障害を監視するリモート側障害監視部５３と、リモート側障害監視部５３の切替制御に基づき、バックアップ用ＰＢＸ２５内のサイトＢ側第１内線ＩＦ制御部４３Ａ及びサイトＢ側第２内線ＩＦ制御部４３Ｂに対して、リモート側ＩＦ制御部５２及びバックアップ用ＳＷ部４４を切替接続するリモート側切替部５４とを有している。
【００３５】
リモート側ＩＰ網ＩＦ部５１は、同内線電話システム１に接続された各電話機及び無線基地局、例えばサイトＡ側電話機１１及びサイトＡ側無線基地局１２、サイトＢ側第１電話機２３Ａ及びサイトＢ側第２電話機２３Ｂ、サイトＢ側第１無線基地局２４Ａ及びサイトＢ側第２無線基地局２４Ｂ等を夫々識別する識別情報と、サイトＡ側ＰＢＸ１４に収容接続するサイトＡ側電話機１１及びサイトＡ側無線基地局１２のＩＰアドレスや、同電話機及び無線基地局を管理する第１リモート装置２２Ａ及び第２リモート装置２２ＢのＩＰアドレスとを対応付けて記憶管理するリモート側変換テーブル５１Ａを備えている。
【００３６】
リモート側ＩＰ網ＩＦ制御部５１は、サイトＢ側ＨＵＢ２１を通じてＩＰ網５から自装置宛のＩＰパケットを受信すると、このＩＰパケットから識別情報が付加された信号を抽出してリモート側ＩＦ制御部５２に出力すると共に、リモート側ＩＦ制御部５２から入力した識別情報を付加した信号を受信すると、同信号をＩＰパケット化し、この識別情報に対応したＩＰアドレスをリモート側変換テーブル５１Ａから読み出し、このＩＰアドレスを宛先として同ＩＰパケットをサイトＢ側ＨＵＢ２１に出力するものである。
【００３７】
また、リモート側ＩＦ制御部５２は、リモート側ＩＰ網ＩＦ部５１から入力した信号を、リモート側切替部５４及びサイトＢ側第１内線ＩＦ制御部４３経由で当該信号に付加された識別情報に基づき特定されるサイトＢ側第１内線電話機ＩＦ部４１ＡやサイトＢ側第１無線基地局ＩＦ部４２Ａ等に出力すると共に、サイトＢ側第１内線電話機ＩＦ部４１ＡやサイトＢ側第１無線基地局ＩＦ部４２Ａから入力した信号を受信すると、同信号に出力元の識別情報を付加してリモート側ＩＰ網ＩＦ部５１に出力するものである。
【００３８】
また、サイトＢ側第１内線ＩＦ制御部４３Ａ及びリモート側切替部５４間の各信号線１０１Ａは、第１リモート装置２２Ａ内のリモート側ＩＦ制御部５２及びリモート側切替部５４間の各信号線１０２Ａと対応付けて接続すると共に、リモート側切替部５４及びバックアップ用ＳＷ部４４間の各信号線１０３Ａとも対応付けて接続するものとする。また、同様に、第２リモート装置２２Ｂ内のリモート側切替部(図示せず)及びサイトＢ側第２内線ＩＦ制御部４３Ｂ間の各信号線１０１Ｂは、第２リモート装置２２Ｂ内のリモート側ＩＦ制御部(図示せず)及びリモート側切替部(図示せず)間の各信号線と対応付けて接続すると共に、リモート側切替部(図示せず)及びバックアップ用ＳＷ部４４間の各信号線１０３Ｂとも対応付けて接続するものとする。
【００３９】
第１リモート装置２２Ａ内のリモート側障害監視部５３は、ＩＰ網５経由でサイトＡ側ＰＢＸ１４内の障害監視部３７からのライフチェック用のＩＰパケットを受信すると、応答用のＩＰパケットをＩＰ網５経由で障害監視部３７に通知するものである。従って、リモート側障害監視部５３では、サイトＡ側ＰＢＸ１４の障害監視部３７から所定周期毎のライフチェック用のＩＰパケットを受信すると、第１リモート装置２２Ａ及びサイトＡ側ＰＢＸ１４間の回線状態が正常であると判断すると共に、サイトＡ側ＰＢＸ１４の障害監視部３７から所定周期毎のライフチェック用のＩＰパケットを受信できない場合は、第１リモート装置２２Ａ及びサイトＡ側ＰＢＸ１４間で回線障害が発生したものと判断するものである。
【００４０】
また、第１リモート装置２２Ａ内のリモート障害監視部５３は、通常、第１リモート装置２２Ａ及びサイトＡ側ＰＢＸ１４間の回線状態が正常の場合、リモート側ＩＦ制御部５２の信号線１０２ＡとサイトＢ側第１内線ＩＦ制御部４３Ａとの信号線１０１Ａとを接続すべく、リモート側切替部５４を切替制御しているものである。
【００４１】
また、第１リモート装置２２Ａ内のリモート障害監視部５３は、第１リモート装置２２Ａ及びサイトＡ側ＰＢＸ１４間の回線状態が障害であると判定されると、リモート側ＩＦ制御部５２の信号線１０２ＡとサイトＢ側第１内線ＩＦ制御部４３Ａの信号線１０１Ａとの接続を切断して、バックアップ用ＳＷ部４４の信号線１０３ＡとサイトＢ側第１内線ＩＦ制御部４３Ａの信号線１０１Ａとを接続すべく、リモート側切替部５４を切替制御すると共に、同一グループの第２リモート装置２２Ｂに対してサイトＢ側ＨＵＢ２１経由で切替要求信号のＩＰパケットを出力するものである。
【００４２】
尚、第２リモート装置２２Ｂは、図示せぬが、サイトＢ側ＨＵＢ２１との通信インタフェースを司るリモート側ＩＰ網ＩＦ部と、サイトＡ側ＰＢＸ１４との回線障害を監視するリモート側障害監視部と、リモート側ＩＦ制御部と、リモート側切替部とを有し、リモート側障害監視部にてサイトＡ側ＰＢＸ１４との回線状態が正常の場合に、リモート側ＩＦ制御部の信号線とサイトＢ側第２内線ＩＦ制御部４３Ｂとの信号線１０１Ｂとを接続すべく、リモート側切替部を切替制御すると共に、リモート側障害監視部にてサイトＡ側ＰＢＸ１４との回線状態が障害であると判定されると、第１リモート装置２２Ａ及びサイトＡ側ＰＢＸ１４間の回線状態が障害であると判定されると、リモート側ＩＦ制御部の信号線とサイトＢ側第２内線ＩＦ制御部４３Ｂの信号線１０１Ｂとの接続を切断して、バックアップ用ＳＷ部４４の信号線１０３ＢとサイトＢ側第２内線ＩＦ制御部４３Ｂの信号線１０１Ｂとを接続すべく、リモート側切替部を切替制御すると共に、同一グループの第１リモート装置２２Ａに対してサイトＢ側ＨＵＢ２１経由で切替要求信号のＩＰパケットを出力するものである。
【００４３】
また、第１リモート装置２２Ａ内のリモート障害監視部５３は、第１リモート装置２２Ａ及びサイトＡ側ＰＢＸ１４間の回線状態が正常であっても、ＩＰ網５経由でサイトＡ側ＰＢＸ１４の障害監視部３７又は同一グループの第２リモート装置２２Ｂ内のリモート側障害監視部(図示せず)からの切替要求信号のＩＰパケットを受信すると、リモート側ＩＦ制御部５２の信号線１０２ＡとサイトＢ側第１内線ＩＦ制御部４３Ａの信号線１０１Ａとの接続を切断して、バックアップ用ＳＷ部４４の信号線１０３ＡとサイトＢ側第１内線ＩＦ制御部４３Ａの信号線１０１Ａとを接続すべく、リモート側切替部５４を切替制御するものである。
【００４４】
また、請求項記載の通信網はＩＰ網５、構内交換機はサイトＡ側ＰＢＸ１４、内線端末はサイトＢ側第１電話機２３Ａ、サイトＢ側第２電話機２３Ｂ、サイトＢ側第１無線基地局２４Ａ及びサイトＢ側第２無線基地局２４Ｂ、リモート装置は第１リモート装置２２Ａ及び第２リモート装置２２Ｂ、バックアップ用構内交換機はバックアップ用ＰＢＸ２５、切替制御手段はリモート側切替部５４、要求信号出力手段はリモート側障害監視部５３、構内交換機側要求信号出力手段は障害監視部３７に相当するものである。
【００４５】
次に本実施の形態を示す内線電話システム１の動作について説明する。図４はサイトＡ側交換システム２及びサイトＢ側交換システム３間の回線正常時の回線障害検出処理に関わる処理動作を示す動作シーケンスである。
【００４６】
図４に示す回線障害検出処理とは、回線正常時におけるサイトＡ側ＰＢＸ１４内の障害監視部３７及びサイトＢ側交換システム３内部の第１リモート装置２２Ａ(第２リモート装置２２Ｂ)のリモート側障害監視部５３間の回線状態を定期的に監視するための処理である。
【００４７】
サイトＡ側ＰＢＸ１４内の障害監視部３７は、定期的にサイトＢ側交換システム３内の第１リモート装置２２Ａへのライフチェック用のＩＰパケットの通知動作を開始し(ステップＳ１１)、このライフチェック用ＩＰパケットをサイトＡ側ＨＵＢ１３(ステップＳ１２)、ＩＰ網５及びサイトＢ側ＨＵＢ２１(ステップＳ１３)経由でサイトＢ側交換システム３内の第１リモート装置２２Ａに通知する(ステップＳ１４)。
【００４８】
第１リモート装置２２Ａ内のリモート側障害監視部５３は、サイトＡ側ＰＢＸ１４内の障害監視部３７からのライフチェック用ＩＰパケットを受信すると、サイトＡ側ＰＢＸ１４との回線状態が正常であると認識し、サイトＡ側ＰＢＸ１４への応答用ＩＰパケットの通知動作を開始し(ステップＳ１５)、サイトＢ側ＨＵＢ２１(ステップＳ１６)、ＩＰ網５及びサイトＡ側ＨＵＢ１３(ステップＳ１７)経由でサイトＡ側ＰＢＸ１４に通知する(ステップＳ１８)。尚、障害監視部３７は、第１リモート装置２２Ａから応答用ＩＰパケットを受信すると、サイトＢ側交換システム３内の第１リモート装置２２Ａとの回線状態が正常であると認識するものである。
【００４９】
この際、サイトＡ側ＰＢＸ１４及び第１リモート装置２２Ａ間の回線状態は正常であるため、第１リモート装置２２Ａ内のリモート側切替部５４は、バックアップ用ＳＷ部４４の信号線１０３Ａに切替接続することなく、リモート側ＩＦ制御部５２の信号線１０２ＡとサイトＢ側第１内線ＩＦ制御部４３Ａの信号線１０１Ａとを接続して、サイトＡ側ＰＢＸ１４及びサイトＢ側第１内線ＩＦ制御部４３Ａ間の通話路を形成していることになる。従って、サイトＢ側第１内線ＩＦ制御部４３Ａに収容接続するサイトＢ側第１電話機２３Ａ及びサイトＢ側第１無線基地局２４ＡはサイトＡ側ＰＢＸ１４内の主制御装置３９制御下の通信ネットワークに属することになる。
【００５０】
また、障害監視部３７は、定期的にサイトＢ側交換システム３内の第２リモート装置２２Ｂへのライフチェック用のＩＰパケットの通知動作を開始し(ステップＳ１９)、このライフチェック用ＩＰパケットをサイトＡ側ＨＵＢ１３(ステップＳ２０)、ＩＰ網５及びサイトＢ側ＨＵＢ２１経由(ステップＳ２１)でサイトＢ側交換システム３内の第２リモート装置２２Ｂに通知する(ステップＳ２２)。
【００５１】
また、第２リモート装置２２Ｂ内のリモート障害監視部５３は、サイトＡ側ＰＢＸ１４内の障害監視部３７からライフチェック用ＩＰパケットを受信すると、サイトＡ側ＰＢＸ１４との回線状態が正常であると認識し、サイトＡ側ＰＢＸ１４への応答用ＩＰパケットの通知動作を開始し(ステップＳ２３)、サイトＢ側ＨＵＢ２１(ステップＳ２４)、ＩＰ網５及びサイトＡ側ＨＵＢ１３(ステップＳ２５)経由でサイトＡ側ＰＢＸ１４に通知する(ステップＳ２６)。尚、サイトＡ側ＰＢＸ１４の障害監視部３７は、第２リモート装置２２Ｂから応答用ＩＰパケットを受信すると、サイトＢ側交換システム３内の第２リモート装置２２Ｂとの回線状態が正常であると認識するものである。
【００５２】
この際、サイトＡ側ＰＢＸ１４及び第２リモート装置２２Ｂ間の回線状態が正常であるため、第２リモート装置２２Ｂ内のリモート側切替部(図示せず)は、バックアップ用ＳＷ部４４の信号線１０３Ｂに切替接続することなく、リモート側ＩＦ制御部(図示せず)の信号線とサイトＢ側第２内線ＩＦ制御部４３Ｂの信号線１０１Ｂとを接続して、サイトＡ側ＰＢＸ１４及びサイトＢ側第２内線ＩＦ制御部４３Ｂ間の通話路を形成していることになる。従って、サイトＢ側第２内線ＩＦ制御部４３Ｂに収容接続するサイトＢ側第２電話機２３Ｂ及びサイトＢ側第２無線基地局２４ＢはサイトＡ側ＰＢＸ１４内の主制御装置３９制御下の通信ネットワークに属することになる。
【００５３】
図４に示す回線障害監視処理によれば、第１リモート装置２２Ａ(第２リモート装置２２Ｂ)内のリモート側障害監視部５３にてサイトＡ側ＰＢＸ１４内の障害監視部３７から所定期間内にライフチェック用のＩＰパケットを受信すると、同第１リモート装置２２Ａ(第２リモート装置２２Ｂ)及びサイトＡ側ＰＢＸ１４間の回線状態が正常であるものと、同第１リモート装置２２Ａ(第２リモート装置２２Ｂ)側で認識することができる。
【００５４】
また、図４に示す回線障害監視処理によれば、サイトＡ側ＰＢＸ１４の障害監視部３７にて第１リモート装置２２Ａ（第２リモート装置２２Ｂ）からライフチェック用ＩＰパケットに対する応答用ＩＰパケットを受信すると、サイトＡ側ＰＢＸ１４及び第１リモート装置２２Ａ(第２リモート装置２２Ｂ)間の回線状態が正常であるものと、サイトＡ側ＰＢＸ１４側で認識することができる。
【００５５】
図５はサイトＡ側交換システム２及びサイトＢ側交換システム３間の回線障害時の回線障害検出処理に関わる処理動作を示す動作シーケンスである。
【００５６】
図５に示す回線障害検出処理とは、例えばサイトＡ側ＰＢＸ１４及び第１リモート装置２２Ａ間の回線障害が発生したときに同回線障害を検出すると共に、同一グループ内の第１リモート装置２２Ａ及び第２リモート装置２２Ｂ側で管理する内線をバックアップ用主制御装置５４制御下の通信ネットワークに切替える処理である。
【００５７】
尚、図５においてはサイトＡ側ＰＢＸ１４及び第１リモート装置２２Ａ間で回線障害が発生したものとする。
【００５８】
サイトＡ側ＰＢＸ１４内の障害監視部３７は、定期的に第１リモート装置２２Ａへのライフチェック用のＩＰパケットの通知動作を開始し(ステップＳ３１)、このライフチェック用ＩＰパケットをサイトＡ側ＨＵＢ１３経由で第１リモート装置２２Ａに通知する(ステップＳ３２)。
【００５９】
しかし、当然ながら、サイトＡ側ＰＢＸ１４及び第１リモート装置２２Ａ間で回線障害が発生しているため、第１リモート装置２２Ａ側でライフチェック用ＩＰパケットを受信することができない。従って、サイトＡ側ＰＢＸ１４内の障害監視部３７では、第１リモート装置２２Ａのリモート側障害監視部５３からライフチェック用ＩＰパケットに対する応答用ＩＰパケットを所定期間内に受信できないことになる。
【００６０】
さらに障害監視部３７は、所定期間内に第１リモート装置２２Ａからの応答用ＩＰパケットが受信できないと、第１回目のリトライ動作を開始し(ステップＳ３３)、再度、ライフチェック用ＩＰパケットをサイトＡ側ＨＵＢ１３経由で通知することになるが（ステップＳ３４)、回線障害が発生しているため、第１リモート装置２２Ａ側でライフチェック用ＩＰパケットを受信することができない。
【００６１】
さらに障害監視部３７は、所定期間内に第１リモート装置２２Ａからの応答用ＩＰパケットが受信できないと、第２回目のリトライ動作を開始し(ステップＳ３５)、再度、ライフチェック用ＩＰパケットをサイトＡ側ＨＵＢ１３経由で通知することになるが(ステップＳ３６)、回線障害が発生しているため、第１リモート装置２２Ａ側でライフチェック用ＩＰパケットを受信することができない。従って、サイトＡ側ＰＢＸ１４Ａ内の障害監視部３７では、第１リモート装置２２Ａのリモート側障害監視部５３からライフチェック用ＩＰパケットに対する応答用ＩＰパケットを所定期間内に受信できないことになる。
【００６２】
そこで、障害監視部３７は、第２回目のリトライ動作のライフチェック用ＩＰパケットに対する応答用ＩＰパケットを所定期間内に受信できないと、第３回目のリトライ動作を実行することなく、サイトＡ側ＨＵＢ１３及び第１リモート装置２２Ａ間の回線状態が障害であると判断し、同回線障害を検出することになる(ステップＳ３７)。
【００６３】
障害監視部３７は、サイトＡ側ＨＵＢ１３及び第１リモート装置２２Ａ間の回線障害を検出すると、第１リモート装置２２Ａと同一グループの第２リモート装置２２Ｂへ切替要求信号用のＩＰパケットの通知動作を開始し(ステップＳ３８)、この切替要求信号用のＩＰパケットを、サイトＡ側ＨＵＢ１３(ステップＳ３９)、ＩＰ網５及びサイトＢ側ＨＵＢ２１(ステップＳ４０)経由で第２リモート装置２２Ｂに通知する(ステップＳ４１)。
【００６４】
第２リモート装置２２Ｂのリモート側障害監視部（図示せず）は、切替要求信号用のＩＰパケットを受信すると(ステップＳ４２)、リモート側切替部(図示せず)に対してバックアップ用ＳＷ部４４側に切替制御することになる(ステップＳ４３)。尚、この際、第２リモート装置２２Ｂ内のリモート側切替部は、リモート側ＩＦ制御部の信号線とサイトＢ側第２内線ＩＦ制御部４３Ｂの信号線１０１Ｂとの接続を切断して、サイトＢ側第２内線ＩＦ制御部４３Ｂの信号線１０１Ｂとバックアップ用ＳＷ部４４の信号線１０３Ｂとを接続して(ステップＳ４４)、バックアップ用ＳＷ部４４及びサイトＢ側第２内線ＩＦ制御部４３Ｂ間の通話路を形成することになる。従って、サイトＢ側第２内線ＩＦ制御部４３Ｂに収容接続するサイトＢ側第２電話機２３Ｂ及びサイトＢ側第２無線基地局２４Ｂは、バックアップ用ＰＢＸ２５内のバックアップ用主制御装置４５制御下の通信ネットワークに属することになる。
【００６５】
また、第１リモート装置２２Ａのリモート側障害監視部５３は、所定期間内にサイトＡ側ＰＢＸ１４からのライフチェック用のＩＰパケットを受信できないと、第１リモート装置２２Ａ及びサイトＡ側ＰＢＸ１４間の回線状態が障害であると判断して自律的に回線障害を検出することになる(ステップＳ４５)。尚、ここでの所定期間内とは、サイトＡ側ＰＢＸ１４内部の障害監視部３７から受信するライフチェック用のＩＰパケット通知動作から第２回目のリトライ動作によるライフチェック用のＩＰパケットが通常受信されるまでに要する時間に相当するものである。
【００６６】
第１リモート装置２２Ａのリモート側障害監視部５３は、ステップＳ４５にてサイトＡ側ＰＢＸ１４及び第１リモート装置２２Ａ間の回線障害を検出すると、リモート側切替部５４に対してバックアップ用ＳＷ部４４側に切替制御することになる(ステップＳ４６)。尚、この際、第１リモート装置２２Ａ内のリモート側切替部５４は、リモート側ＩＦ制御部５２の信号線１０２ＡとサイトＢ側第１内線ＩＦ制御部４３Ａの信号線１０１Ａとの接続を切断して、サイトＢ側第１内線ＩＦ制御部４３Ａの信号線１０１Ａとバックアップ用ＳＷ部４４の信号線１０３Ａとを接続して(ステップＳ４７)、バックアップ用ＳＷ部４４及びサイトＢ側第１内線ＩＦ制御部４３Ａ間の通話路を形成することになる。従って、サイトＢ側第１内線ＩＦ制御部４３Ａに収容接続するサイトＢ側第１電話機２３Ａ及びサイトＢ側第１無線基地局２４Ａは、バックアップ用ＰＢＸ２５内のバックアップ用主制御装置４５制御下の通信ネットワークに属することになる。
【００６７】
そして、第１リモート装置２２Ａのリモート側障害監視部５３は、同一グループ内の第２リモート装置２２Ｂへの切替要求信号用のＩＰパケットの通知動作を開始して(ステップＳ４８)、サイトＢ側ＨＵＢ２１経由(ステップＳ４９)で第２リモート装置２２Ｂに通知する(ステップＳ５０)。
【００６８】
第２リモート装置２２Ｂのリモート側障害監視部(図示せず)では、第１リモート装置２２Ａからの切替要求信号用ＩＰパケットを受信すると、リモート切替部(図示せず)にてバックアップ用ＳＷ部４４に切替済みであるか否かを判定し、バックアップ用ＳＷ部４４に切替済みであると判定されると、同切替要求信号用ＩＰパケットを破棄して（ステップＳ５１）、この処理動作を終了する。
【００６９】
また、第２リモート装置２２Ｂのリモート側障害監視部(図示せず)は、第１リモート装置２２Ａからの切替要求信号用ＩＰパケットを受信すると、リモート切替部（図示せず）にてバックアップ用ＳＷ部４４に切替済みでない、すなわちリモート側ＩＦ制御部(図示せず)に接続中であると判定されると、バックアップ用ＳＷ部４４に切替すべく、リモート切替部を切替制御することになる。尚、この際、第２リモート装置２２Ｂ内のリモート側切替部は、リモート側ＩＦ制御部の信号線とサイトＢ側第２内線ＩＦ制御部４３Ｂの信号線１０１Ｂとの接続を切断して、サイトＢ側第２内線ＩＦ制御部４３Ｂの信号線１０１Ｂとバックアップ用ＳＷ部４４の信号線１０３Ｂとを接続して、バックアップ用ＳＷ部４４及びサイトＢ側第２内線ＩＦ制御部４３Ｂ間の通話路を形成することになる。従って、サイトＢ側第２内線ＩＦ制御部４３Ｂに収容接続するサイトＢ側第２電話機２３Ｂ及びサイトＢ側第２無線基地局２４Ｂは、バックアップ用ＰＢＸ２５内のバックアップ用主制御装置４５制御下の通信ネットワークに属することになる。
【００７０】
図５に示す回線障害検出処理によれば、例えばサイトＡ側ＰＢＸ１４及びサイトＢ側交換システム３内の第１リモート装置２２Ａ間で回線障害が発生した場合、第１リモート装置２２Ａ内のリモート側障害監視部５３側でサイトＡ側ＰＢＸ１４との回線障害を検出し、サイトＢ側第１内線ＩＦ制御部４３Ａに対してリモート側ＩＦ制御部５２との通話路接続を切断してバックアップ用ＳＷ部４４との通話路に切替接続すると共に、サイトＡ側ＰＢＸ１４内の障害監視部３７側で第１リモート装置２２Ａとの回線障害を検出すると、第１リモート装置２２Ａと同一グループ内の第２リモート装置２２Ｂに対して切替要求信号用ＩＰパケットを通知出力し、第２リモート装置２２Ｂ側で切替要求信号用ＩＰパケットを受信すると、サイトＢ側第２内線ＩＦ制御部４３Ｂに対してリモート側ＩＦ制御部との通話路接続を切断してバックアップ用ＳＷ部４４との通話路に切替接続するようにしたので、例えば第１リモート装置２２Ａ及びサイトＡ側ＰＢＸ１４間に回線障害が発生したとしても、同一グループの第１リモート装置２２Ａ及び第２リモート装置２２Ｂをバックアップ用主制御装置４５の通話路制御下の同一通信ネットワーク下にすることで、同一グループの内線同士の通話接続が可能になる。
【００７１】
また、図５に示す回線障害検出装置によれば、例えばサイトＡ側ＰＢＸ１４及び第１リモート装置２２Ａ間で回線障害が発生した場合、サイトＡ側ＰＢＸ１４内の障害監視部３７側で回線障害を検出すると、第１リモート装置２２Ａと同一グループの第２リモート装置２２Ｂに対して切替要求信号用ＩＰパケットを通知すると共に、第１リモート装置２２Ａのリモート側障害監視部５３側で回線障害を検出すると、同一グループの第２リモート装置２２Ｂに対して切替要求信号用ＩＰパケットを通知するようにしたので、サイトＡ側ＰＢＸ１４内の障害監視部３７及び第１リモート装置２２Ａ内のリモート側障害監視部５３双方から切替要求信号用ＩＰパケットを同一グループの第２リモート装置２２Ｂに確実に通知することができる。
【００７２】
図６はサイトＡ側交換システム２及びサイトＢ側交換システム３間の回線障害復旧処理に関わる処理動作を示す動作シーケンスである。
【００７３】
図６に示す回線障害復旧処理とは、例えばサイトＡ側ＰＢＸ１４及び第１リモート装置２２Ａ間の回線障害が復旧したときに、第１リモート装置２２Ａ及び第２リモート装置２２Ｂを回線障害前の通信ネットワークに戻すための処理である。
【００７４】
サイトＡ側ＰＢＸ１４のＩＰ網ＩＦ部３４は、時計情報保持部３８に記憶中の回線障害復旧後の復旧開始時刻に到達すると(ステップＳ６１)、第１リモート装置２２Ａ及び第２リモート装置２２Ｂへの切戻し要求信号用のＩＰパケットの通知動作を開始し(ステップＳ６２)、この切戻し要求信号用のＩＰパケットをサイトＡ側ＨＵＢ１３(ステップＳ６３)、ＩＰ網５及びサイトＢ側ＨＵＢ２１経由(ステップＳ６４)で第１リモート装置２２Ａ及び第２リモート装置２２Ｂに夫々通知する(ステップＳ６５、ステップＳ６６)。
【００７５】
第１リモート装置２２Ａ内のリモート側障害監視部５３は、切戻し要求信号用のＩＰパケットを受信すると(ステップＳ６７)、サイトＡ側ＰＢＸ１４に切替接続すべく、リモート側切替部５４を切替制御することになる(ステップＳ６８)。尚、この際、第１リモート装置２２Ａ内のリモート側切替部５４は、バックアップ用ＳＷ部４４の信号線１０３ＡとサイトＢ側第１内線ＩＦ制御部４３Ａの信号線１０１Ａとの接続を切断して、サイトＢ側第１内線ＩＦ制御部４３Ａの信号線１０１Ａとリモート側ＩＦ制御部５２の信号線１０２Ａとを接続して、サイトＡ側ＰＢＸ１４及びサイトＢ側第１内線ＩＦ制御部４３Ａ間の通話路を形成することになる(ステップＳ６９)。従って、サイトＢ側第１内線ＩＦ制御部４３Ａに収容接続するサイトＢ側第１電話機２３Ａ及びサイトＢ側第１無線基地局２４Ａは、サイトＡ側ＰＢＸ１４内の主制御装置３９制御下の通信ネットワークに属することになる。
【００７６】
また、第２リモート装置２２Ｂ内のリモート側障害監視部(図示せず)は、サイトＡ側ＰＢＸ１４からの切戻し要求信号用のＩＰパケットを受信すると(ステップＳ７０)、サイトＡ側ＰＢＸ１４に切替接続すべく、リモート側切替部(図示せず)を切替制御することになる(ステップＳ７１)。尚、この際、第２リモート装置２２Ｂ内のリモート側切替部(図示せず)は、バックアップ用ＳＷ部４４の信号線１０３ＢとサイトＢ側第２内線ＩＦ制御部４３Ｂの信号線１０１Ｂとの接続を切断して、サイトＢ側第２内線ＩＦ制御部４３Ｂの信号線１０１Ｂとリモート側ＩＦ制御部(図示せず)の信号線とを接続して、サイトＡ側ＰＢＸ１４及びサイトＢ側第２内線ＩＦ制御部４３Ｂ間の通話路を形成することになる(ステップＳ７２)。従って、サイトＢ側第２内線ＩＦ制御部４３Ｂに収容接続するサイトＢ側第２電話機２３Ｂ及びサイトＢ側第２無線基地局２４Ｂは、サイトＡ側ＰＢＸ１４内の主制御装置３９制御下の通信ネットワークに属することになる。
【００７７】
図６に示す回線障害復旧処理によれば、例えばサイトＡ側ＰＢＸ１４及び第１リモート装置２２Ａ間の回線障害が復旧した場合、復旧後、すぐに回線を障害前の状態に切替えたとしても揺らぎ等で回線状態が不安定となるため、復旧後、回線状態が安定するまでには時間を要することから、復旧後の所定時間経過時点に相当する復旧開始時刻を設定し、サイトＡ側ＰＢＸ１４側のＩＰ網ＩＦ部３４にて同復旧開始時刻に到達すると、第１リモート装置２２Ａ及び第２リモート装置２２Ｂに対して切戻し要求信号用のＩＰパケットを通知することで、これら第１リモート装置２２Ａ及び第２リモート装置２２Ｂを回線障害前の通信ネットワークに戻すことができる。
【００７８】
本実施の形態によれば、例えば第１リモート装置２２Ａ及びサイトＡ側ＰＢＸ１４間の回線障害を同一グループの第２リモート装置２２Ｂ側で検出すると、当然ながら第１リモート装置２２Ａ側ではサイトＡ側ＰＢＸ１４との通話路接続を切断してバックアップ用ＳＷ部４４の通話路と接続するようにしたが、第２リモート装置２２Ｂ内でもサイトＡ側ＰＢＸ１４との通話路接続を切断してバックアップ用ＳＷ部４４の通話路と接続し、同一グループの第１リモート装置２２Ａ及び第２リモート装置２２Ｂ双方に収容接続する内線をバックアップ用主制御装置４５の通話路制御の下、同一通信ネットワーク下で同一グループの内線同士を通話接続可能にしたので、例えば第１リモート装置２２Ａ及びサイトＡ側ＰＢＸ１４間で回線障害が発生したとしても、同一グループ内の全リモート装置をバックアップ用主制御装置４５制御下の通信ネットワークで構成することで、同一グループ内の内線同士の通話接続が可能となる。
【００７９】
本実施の形態によれば、例えば第１リモート装置２２Ａ側にてサイトＡ側ＰＢＸ１４との回線障害を検出すると、第１リモート装置２２Ａと同一グループの第２リモート装置２２Ｂに対して切替要求信号用ＩＰパケットを出力すると共に、第２リモート装置２２Ｂにて切替要求信号用ＩＰパケットを検出すると、サイトＡ側ＰＢＸ１４との通話路接続を切断してバックアップ用ＳＷ部４４の通話路と接続し、同バックアップ用主制御装置４５の通話路制御に基づき、同一グループ内の内線同士を通話接続可能にしたので、例えば第１リモート装置２２Ａ及びサイトＡ側ＰＢＸ１４間で回線障害が発生したとしても、回線障害を検出した第１リモート装置２２Ａから第２リモート装置２２Ｂへの切替要求信号用ＩＰパケットに基づき、同一グループ内の全リモート装置をバックアップ用主制御装置４５制御下の通信ネットワークで構成することができる。
【００８０】
本実施の形態によれば、例えばサイトＡ側ＰＢＸ１４側にて第１リモート装置２２Ａとの回線障害を検出すると、第２リモート装置に対して切替要求信号用ＩＰパケットを出力すると共に、第２リモート装置２２ＢにてサイトＡ側ＰＢＸ１４から切替要求信号用ＩＰパケットを検出すると、サイトＡ側ＰＢＸ１４との通話路接続を切断してバックアップ用ＳＷ部４４の通話路と接続し、バックアップ用主制御装置４５の通話路制御に基づき、内線同士を通話接続可能にするようにしたので、例えば第１リモート装置２２Ａ及びサイトＡ側ＰＢＸ１４間で回線障害が発生したとしても、回線障害を検出したサイトＡ側ＰＢＸ１４から第２リモート装置２２Ｂへの切替要求信号用ＩＰパケットに基づき、同一グループ内の全リモート装置をバックアップ用主制御装置４５制御下の通信ネットワークで構成することができる。
【００８１】
本実施の形態によれば、第１リモート装置２２Ａ及び第２リモート装置２２Ｂ側にてサイトＡ側ＰＢＸ１４からの切戻し要求信号用ＩＰパケットを検出すると、バックアップ用ＳＷ部４４との通話路接続を切断してサイトＡ側ＰＢＸ１４の通話路、すなわちリモート側ＩＦ制御部５２と接続し、サイトＡ側ＰＢＸ１４の主制御装置３９の通話路制御に基づき、同一グループ内の内線同士を通話接続可能にするようにしたので、同一グループ内の第１リモート装置２２Ａ及び第２リモート装置２２Ｂは、サイトＡ側ＰＢＸ１４からの切戻し要求信号用ＩＰパケットを検出すると、回線障害前の通信ネットワークに戻し、その結果、サイトＡ側ＰＢＸ１４の主制御装置３９制御下の同一通信ネットワークで同一グループ内の内線同士の通話接続が可能になる。
【００８２】
本実施の形態によれば、例えば障害復旧直後は揺らぎが発生して回線状態が不安定になることに着目し、サイトＡ側ＰＢＸ１４にて障害復旧後、所定時間経過した時点に相当する復旧開始時刻に到達すると、切戻し要求信号用ＩＰパケットを同一グループの第１リモート装置２２Ａ及び第２リモート装置２２Ｂに出力するようにしたので、同一グループ内の全リモート装置を安定した状態で回線障害前の通信ネットワークに戻すことができる。
【００８３】
尚、上記実施の形態においては、同一グループの内線を収容接続する複数のリモート装置として第１リモート装置２２Ａ及び第２リモート装置２２Ｂを例にあげて説明したが、リモート装置は３台以上であっても同様の効果が得られることは言うまでもない。
【産業上の利用可能性】
【００８４】
本発明の内線電話システムによれば、同一グループ内のリモート装置の内、一台でも構内交換機との回線障害を検出すると、同一グループ内の全リモート装置をバックアップ用構内交換機の通話路と接続して、同バックアップ用構内交換機を使用した同一の通信ネットワークで同一グループ内の内線端末同士を通話接続可能にしたので、同一グループ内の内線端末を収容接続する複数のリモート装置の内、少なくとも一台が構内交換機との回線障害が発生したとしても、同一グループ内の全リモート装置を、バックアップ用構内交換機を使用した同一の通信ネットワークで構成することができるため、同一グループ内の内線端末同士の通話接続が可能となるため、例えば専用線を通じて本社及び、遠隔地の事業所間を通信接続する社内ＬＡＮ等の内線電話システムに有用である。
【図面の簡単な説明】
【００８５】
【図１】本発明の実施の形態を示す内線電話システム内部の概略構成を示すブロック図である。
【図２】本実施の形態に関わるサイトＡ側ＰＢＸ内部の概略構成を示すブロック図である。
【図３】本実施の形態に関わるサイトＢ側交換システム内部の要部である第１リモート装置及びバックアップ用ＰＢＸ内部の概略構成を示すブロック図である。
【図４】本実施の形態に関わるサイトＡ側交換システム及びサイトＢ側交換システム間の回線正常時の回線障害検出処理に関わる処理動作を示す動作シーケンスである。
【図５】本実施の形態に関わるサイトＡ側交換システム及びサイトＢ側交換システム間の回線障害時の回線障害検出処理に関わる処理動作を示す動作シーケンスである。
【図６】本実施の形態に関わるサイトＡ側交換システム及びサイトＢ側交換システム間の回線障害復旧処理に関わる処理動作を示す動作シーケンスである。
【符号の説明】
【００８６】
１  内線電話システム
５  ＩＰ網(通信網)
１４  サイトＡ側ＰＢＸ(構内交換機)
２２Ａ  第１リモート装置(リモート装置)
２２Ｂ  第２リモート装置(リモート装置)
２３Ａ  サイトＢ側第１電話機（内線端末）
２３Ｂ  サイトＢ側第２電話機（内線端末）
２４Ａ  サイトＢ側第１無線基地局(内線端末)
２４Ｂ  サイトＢ側第２無線基地局(内線端末)
３７  障害監視部（構内交換機側要求信号出力手段）
２５  バックアップ用ＰＢＸ（バックアップ用構内交換機）
５３  リモート側障害監視部（要求信号出力手段）
５４  リモート側切替部（切替制御手段）
【図１】
2006319762.tif 000003
【図２】
2006319762.tif 000004
【図３】
2006319762.tif 000005
【図４】
2006319762.tif 000006
【図５】
2006319762.tif 000007
【図６】
2006319762.tif 000008